(57)【要約】【課題】  表示品位を改善することを可能とする。【解決手段】  第１基板と、前記第１基板と対向する第２基板と、前記第１基板と前記第２基板とを接着するシール材と、前記第１基板と前記第２基板との間に位置するスペーサと、を備え、前記シール材によって囲まれた領域において、第１領域と、前記シール材と前記第１領域との間に位置する第２領域と、を有し、前記スペーサは、凹部と、前記凹部に対向する凸部とによって形成され、前記第１領域に位置する第１スペーサと、前記第２領域に位置する第２スペーサと、を有し、前記第１スペーサは、第１方向に第１間隔で配置され、前記第２スペーサは、前記第１方向に第２間隔で配置され、前記第２間隔は、前記第１間隔よりも小さい、表示装置。【選択図】      図１
2019028139.tif 000002
【特許請求の範囲】
【請求項１】
第１基板と、
前記第１基板と対向する第２基板と、
前記第１基板と前記第２基板とを接着するシール材と、
前記第１基板と前記第２基板との間に位置するスペーサと、を備え、
前記シール材によって囲まれた領域において、第１領域と、前記シール材と前記第１領域との間に位置する第２領域と、を有し、
前記スペーサは、凹部と、前記凹部に対向する凸部とによって形成され、前記第１領域に位置する第１スペーサと、前記第２領域に位置する第２スペーサと、を有し、
前記第１スペーサは、第１方向に第１間隔で配置され、
前記第２スペーサは、前記第１方向に第２間隔で配置され、
前記第２間隔は、前記第１間隔よりも小さい、表示装置。
【請求項２】
前記第１スペーサの前記第１方向の幅は、第１幅であり、
前記第２スペーサの前記第１方向の幅は、第２幅であり、
前記第２幅は、前記第１幅以上である、請求項１に記載の表示装置。
【請求項３】
前記第１方向に延出している走査線をさらに備え、
前記第１スペーサ及び前記第２スペーサは、それぞれ、前記走査線に沿って延出している、請求項１又は２に記載の表示装置。
【請求項４】
前記第１スペーサは、前記第１方向に交差する第２方向に第３間隔で配置され、
前記第２スペーサは、前記第２方向に第４間隔で配置され、
前記第４間隔は、前記第３間隔よりも小さい、請求項１乃至３のいずれか１項に記載の表示装置。
【請求項５】
前記第１領域と前記第２領域との間に、第３領域をさらに備え、
前記スペーサは、前記第３領域に位置する第３スペーサを有し、
前記第３スペーサは、前記第１方向に前記第３間隔で配置され、
前記第３間隔は、前記第１間隔よりも小さく、且つ前記第２間隔よりも大きい、請求項４に記載の表示装置。
【請求項６】
第１基板と、
前記第１基板と対向する第２基板と、
前記第１基板と前記第２基板とを接着するシール材と、
前記第１基板と前記第２基板との間に位置するスペーサと、を備え、
前記シール材によって囲まれた領域において、第１領域と、前記シール材と前記第１領域との間に位置する第２領域と、を有し、
前記スペーサは、凹部と、前記凹部に対向する凸部とによって形成され、前記第１領域に位置する第１スペーサと、前記第２領域に位置する第２スペーサと、を有し、
前記第１スペーサの第１方向の幅は、第１幅であり、
前記第２スペーサの第１方向の幅は、第２幅であり、
前記第２幅は、前記第１幅以上である、表示装置。
【請求項７】
前記第１方向に延出している走査線をさらに備え、
前記第１スペーサ及び前記第２スペーサは、それぞれ、前記走査線に沿って延出している、請求項６に記載の表示装置。
【請求項８】
前記第１領域と前記第２領域との間に、第３領域をさらに備え、
前記スペーサは、前記第３領域に位置する第３スペーサを有し、
前記第３スペーサの前記第１方向の幅は、第３幅であり、
前記第３幅は、前記第１幅より大きく、前記第２幅よりも小さい、請求項６又は７に記載の表示装置。
【請求項９】
湾曲している湾曲部と、平坦部と、を有するカバー部材をさらに備え、
前記第１領域は、前記平坦部に位置し、
前記第２領域は、前記湾曲部に位置している、請求項１乃至８のいずれか１項に記載の表示装置。
【発明の詳細な説明】
【技術分野】
【０００１】
本発明の実施形態は、表示装置に関する。
【背景技術】
【０００２】
シート状の表示パネルを備える表示装置が検討されている。表示パネルは、可撓性を有し、互いに対向している第１基板及び第２基板と、第１基板と第２基板との間に位置する液晶層及びスペーサとを備えている。表示パネルは、スペーサを間に挟んで第１基板と第２基板とを貼り合わせて構成されている。このような表示パネルは、剛性を有する２つの基板を貼り合わせて構成された表示パネルと比べて、第１基板と第２基板との間に位置ずれが生じ易い。第１基板と第２基板との間に位置ずれが生じた場合、スペーサは、第１基板又は第２基板に設けられた配向膜と擦れ、配向膜を損傷し得る。スペーサと擦れたことで配向膜が損傷した箇所では、液晶分子の配向が乱れることで光漏れが生じ、光漏れに起因したコントラスト比の低下が生じ得る。
【先行技術文献】
【特許文献】
【０００３】
【特許文献１】特開２０１１−０２２５３５号公報
【特許文献２】特開２００３−１２１８５９号公報
【特許文献３】特開２０１５−７５６０６号公報
【特許文献４】特開２００４−１２６１９７号公報
【特許文献５】特開２０１６−１４７７７号公報
【発明の概要】
【発明が解決しようとする課題】
【０００４】
本実施形態の目的は、表示品位を改善可能な表示装置を提供することにある。
【課題を解決するための手段】
【０００５】
一実施形態によれば、第１基板と、前記第１基板と対向する第２基板と、前記第１基板と前記第２基板とを接着するシール材と、前記第１基板と前記第２基板との間に位置するスペーサと、を備え、前記シール材によって囲まれた領域において、第１領域と、前記シール材と前記第１領域との間に位置する第２領域と、を有し、前記スペーサは、凹部と、前記凹部に対向する凸部とによって形成され、前記第１領域に位置する第１スペーサと、前記第２領域に位置する第２スペーサと、を有し、前記第１スペーサは、第１方向に第１間隔で配置され、前記第２スペーサは、前記第１方向に第２間隔で配置され、前記第２間隔は、前記第１間隔よりも小さい、表示装置が提供される。
【０００６】
一実施形態によれば、第１基板と、前記第１基板と対向する第２基板と、前記第１基板と前記第２基板とを接着するシール材と、前記第１基板と前記第２基板との間に位置するスペーサと、を備え、前記シール材によって囲まれた領域において、第１領域と、前記シール材と前記第１領域との間に位置する第２領域と、を有し、前記スペーサは、凹部と、前記凹部に対向する凸部とによって形成され、前記第１領域に位置する第１スペーサと、前記第２領域に位置する第２スペーサと、を有し、前記第１スペーサの第１方向の幅は、第１幅であり、前記第２スペーサの第１方向の幅は、第２幅であり、前記第２幅は、前記第１幅以上である、表示装置が提供される
【図面の簡単な説明】
【０００７】
【図１】図１は、第１実施形態の表示装置を構成する表示パネルの構成例を示す図である。
【図２】図２は、図１に示した表示パネルの基本構成及び等価回路を示す図である。
【図３】図３は、図１に示した表示装置の一部の構造を示す断面図である。
【図４】図４は、第１実施形態に係る表示パネルの構成例を示す平面図である。
【図５】図５は、第１実施形態に係るスペーサの構成例を示す平面図である。
【図６】図６は、図５に示したＶＩ−ＶＩに沿って切断した表示装置を構成するスペーサの構成例を示す断面図である。
【図７】図７は、第１実施形態に係る表示パネルの第１領域の構成例を示す平面図である。
【図８】図８は、第１実施形態に係る表示パネルの第２領域の構成例を示す平面図である。
【図９】図９は、第１実施形態に係る遮光層及びカラーフィルタの構成例を示す平面図である。
【図１０】図１０は、第１実施形態の表示装置の構成例を示す断面図である。
【図１１】図１１は、変形例１に係る表示パネルの構成例を示す平面図である。
【図１２】図１２は、変形例１に係るスペーサの構成例を示す平面図である。
【図１３】図１３は、変形例１に係る表示パネルの角領域の構成例を示す平面図である。
【図１４】図１４は、変形例１に係る遮光層及びカラーフィルタの構成例を示す平面図である。
【図１５】図１５は、変形例２に係る表示パネルの構成例を示す平面図である。
【図１６】図１６は、変形例２に係る表示パネルの第３領域の構成例を示す平面図である。
【図１７】図１７は、第２実施形態に係る表示パネルの構成例を示す平面図である。
【図１８】図１８は、第２実施形態に係るスペーサの構成例を示す平面図である。
【図１９】図１９は、図１８に示したＸＩＸ−ＸＩＸに沿って切断した表示装置を構成するスペーサの構成例を示す断面図である。
【図２０】図２０は、第２実施形態に係る表示パネルの第１領域の構成例を示す平面図である。
【図２１】図２１は、第２実施形態に係る表示パネルの第２領域の構成例を示す平面図である。
【図２２】図２２は、第２実施形態に係る遮光層及びカラーフィルタの構成例を示す平面図である。
【図２３】図２３は、変形例３に係る表示パネルの第１領域及び第２領域の構成例を示す平面図である。
【図２４】図２４は、変形例４に係る表示パネルの第１領域及び第２領域の構成例を示す平面図である。
【図２５】図２５は、変形例５に係る表示パネルの第１領域及び第２領域の構成例を示す平面図である。
【図２６】図２６は、変形例６に係る表示パネルの第２領域及び第３領域の構成例を示す平面図である。
【図２７】図２７は、変形例７に係る表示パネルの構成例を示す平面図である。
【図２８】図２８は、変形例８に係る表示パネルの構成例を示す平面図である。
【発明を実施するための形態】
【０００８】
以下、実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
実施形態においては、電子機器の一例として表示装置を開示する。この表示装置は、例えば、スマートフォン、タブレット端末、携帯電話端末、ノートブックタイプのパーソナルコンピュータ、ゲーム機器、ＶＲ（Ｖｉｒｔｕａｌ  Ｒｅａｌｉｔｙ）ビュアー等の種々の装置に用いることができる。以下で、表示装置ＤＳＰを液晶表示装置として説明する。
【００１０】
図１は、第１実施形態の表示装置ＤＳＰを構成する表示パネルＰＮＬの構成例を示す図である。以下、表示パネルＰＮＬをシート状のフレキシブルタイプの表示パネルとして説明する。なお、表示パネルＰＮＬは、シート状のフレキシブルタイプの表示パネルでなくともよい。  
ここで、図１では、互いに交差する第１方向Ｘ及び第２方向Ｙで規定されるＸ−Ｙ平面における表示パネルＰＮＬの平面図を示している。なお、図示した例では、第１方向Ｘ及び第２方向Ｙは、互いに直交しているが、９０°以外の角度で交差していてもよい。以下、第１方向Ｘを示す矢印の先端の向かう方向を右とし、矢印の先端と逆方向を左と称する場合もある。
【００１１】
表示パネルＰＮＬは、第１基板ＳＵＢ１と、第１基板ＳＵＢ１に対向する第２基板ＳＵＢ２とを備えている。第１基板ＳＵＢ１及び第２基板ＳＵＢ２は、それぞれ、可撓性を有するフレキシブル基板である。図示した例では、第１基板ＳＵＢ１及び第２基板ＳＵＢ１は、それぞれ、角部に丸みを帯びたラウンド形状で形成されている。なお、第１基板ＳＵＢ１及び第２基板ＳＵＢ２は、矩形形状に形成されていてもよい。
【００１２】
第１基板ＳＵＢ１の１つの基板側縁ＳＵＢｅ１１は、第２基板ＳＵＢ１の１つの基板側縁ＳＵＢｅ２１よりも外側に位置している。換言すると、第１基板ＳＵＢ１は、第２基板ＳＵＢの基板側縁ＳＵＢｅ２１よりも第２方向Ｙの外側に延出する実装部ＭＴを有している。基板側縁ＳＵＢｅ１１及びＳＵＢｅ２１は、第１方向Ｘに沿って互いに略平行に形成されている。第１基板ＳＵＢ１の他の３つの基板側縁ＳＵＢｅ１２、ＳＵＢｅ１３、及びＳＵＢｅ１４は、それぞれ、第２基板ＳＵＢ２の他の３つの基板側縁ＳＵＢｅ２２、ＳＵＢｅ２３、及びＳＵＢｅ２４と対向している。
【００１３】
以下、表示パネルＰＮＬにおいて、第１基板ＳＵＢ１と第２基板ＳＵＢ２とが対向する領域を対向領域ＦＲと称する。対向領域ＦＲは、基板側縁ＳＵＢｅ２１に対向する端部ＦＲｅ１と、基板側縁ＳＵＢｅ１２と基板側縁ＳＵＢｅ２２とが対向している端部ＦＲｅ２と、基板側縁ＳＵＢｅ１３と基板側縁ＳＵＢｅ２３とが対向している端部ＦＲｅ３と、基板側縁ＳＵＢｅ１４と基板側縁ＳＵＢｅ２４とが対向している端部ＦＲｅ４とで囲われている。
【００１４】
第１基板ＳＵＢ１と第２基板ＳＵＢ２とは、これらの間に所定のセルギャップを形成した状態で、シール材ＳＬによって貼り合わせられている。シール材ＳＬは、対向領域ＦＲの内側に位置している。図示した例では、シール材ＳＬは、ラウンド形状であり、対向領域ＦＲの４つの端部ＦＲｅ１乃至ＦＲｅ４に沿って配置されている。なお、シール材ＳＬは、矩形形状に配置されていてもよい。
【００１５】
表示パネルＰＮＬは、表示領域ＤＡと、非表示領域ＮＤＡとを有している。図示した例では、表示領域ＤＡは、シール材ＳＬに囲われた内側に位置している。表示領域ＤＡは、例えば、ラウンド形状である。表示領域ＤＡは、４つの端部ＤＡｅ１、ＤＡｅ２、ＤＡｅ３及びＤＡｅ４で囲われている。端部ＤＡｅ１乃至ＤＡｅ４は、シール材ＳＬの内側に沿って配置されている。端部ＤＡｅ１及びＤＡｅ４は、それぞれ、第２方向Ｙにおいて端部ＦＲｅ１及びＦＲｅ４に対向している。端部ＤＡｅ２及びＤＡｅ３は、それぞれ、第１方向Ｘにおいて端部ＦＲｅ２及びＦＲｅ３に対向している。なお、表示領域ＤＡは、矩形形状であってもよいし、他の多角形状であってもよい。非表示領域ＮＤＡは、表示領域ＤＡの外側に位置している。非表示領域ＮＤＡには、シール材ＳＬが配置されている。なお、第２基板ＳＵＢ２は、平面視で表示領域ＤＡと重なる領域である光透過領域ＴＡと、平面視で非表示領域ＮＤＡと重なる領域である非透過領域ＮＴＡとを有している。ここで、光透過領域ＴＡにおいては、配線等の遮光性を有する部材が配置されていても良い。
【００１６】
表示パネルＰＮＬは、その背面側に配置された後述するバックライトユニットからの光を選択的に透過することによって画像を表示する透過型パネルとして構成されても良いし、表示パネルＰＮＬに入射する外光を選択的に反射することによって画像を表示する反射型パネルとして構成されても良いし、透過型及び反射型を組み合わせた半透過型パネルとして構成されても良い。
【００１７】
駆動ＩＣチップ２及びフレキシブル・プリンテッド・サーキット（ＦＰＣ）基板３などの表示パネルＰＮＬの駆動に必要な信号供給源は、非表示領域ＮＤＡに位置している。図示した例では、駆動ＩＣチップ２及びＦＰＣ基板３は、第１基板ＳＵＢ１の実装部ＭＴに実装されている。図示していないが、第１基板ＳＵＢ１は、実装部ＭＴに信号供給源を接続するための接続端子（以下、パッドと称する）を備えている。パッドは、後述の信号線や走査線などと電気的に接続されていてもよい。
【００１８】
図２は、図１に示した表示パネルＰＮＬの基本構成及び等価回路を示す図である。  
表示パネルＰＮＬは、表示領域ＤＡにおいて、複数の副画素ＰＸを備えている。ここで、副画素とは、画素信号に応じて個別に制御することができる最小単位を示し、例えば、後述する走査線と信号線とが交差する位置に配置されたスイッチング素子を含む領域に存在する。例えば、赤色に対応する副画素、緑色に対応する副画素、青色に対応する副画素により１つの画素が構成される。画素は、表示領域ＤＡに表示される画像の最小単位に相当する。複数の副画素ＰＸは、表示領域ＤＡ内で、第１方向Ｘ及び第２方向Ｙにマトリクス状に配置されている。
【００１９】
また、表示パネルＰＮＬは、表示領域ＤＡにおいて、複数の走査線Ｇ、複数の信号線Ｓ、共通電極ＣＥなどを備えている。信号線Ｓは、各々第２方向Ｙに延出し、第１方向Ｘに並んでいる。走査線Ｇは、各々第１方向Ｘに延出し、第２方向Ｙに並んでいる。走査線Ｇ及び信号線Ｓは、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合せた合金などによって形成され、単層構造であっても良いし、多層構造であっても良い。なお、走査線Ｇ及び信号線Ｓは、直線的に延出していなくてもよく、それらの一部が屈曲していてもよい。
【００２０】
共通電極ＣＥは、複数の副画素ＰＸに亘って配置されている。走査線Ｇ、信号線Ｓ、及び、共通電極ＣＥは、それぞれ非表示領域ＮＤＡに引き出されている。非表示領域ＮＤＡにおいて、走査線Ｇは走査線駆動回路ＧＤに接続され、信号線Ｓは信号線駆動回路ＳＤに接続され、共通電極ＣＥは共通電極駆動回路ＣＤに接続されている。信号線駆動回路ＳＤ、走査線駆動回路ＧＤ、及び、共通電極駆動回路ＣＤは、これらの一部或いは全部が、図１に示したＩＣチップ２に内蔵されていてもよいし、第１基板ＳＵＢ１上に形成されていてもよい。
【００２１】
各副画素ＰＸは、スイッチング素子ＳＷ、画素電極ＰＥ、共通電極ＣＥ、及び、液晶層ＬＣ等を備えている。スイッチング素子ＳＷは、例えば、薄膜トランジスタ（ＴＦＴ）によって構成され、走査線Ｇ及び信号線Ｓと電気的に接続されている。より具体的には、スイッチング素子ＳＷは、ゲート電極ＷＧ、ソース電極ＷＳ、及び、ドレイン電極ＷＤを備えている。ゲート電極ＷＧは、走査線Ｇと電気的に接続されている。図示した例では、信号線Ｓと電気的に接続された電極をソース電極ＷＳと称し、画素電極ＰＥと電気的に接続された電極をドレイン電極ＷＤと称する。  
走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥの各々は、共通電極ＣＥと対向し、画素電極ＰＥと共通電極ＣＥとの間に生じる電界によって液晶層ＬＣを駆動している。保持容量ＣＳは、例えば、共通電極ＣＥと画素電極ＰＥとの間に形成される。
【００２２】
図３は、図１に示した表示装置ＤＳＰの一部の構造を示す断面図である。以下、第３方向Ｚを示す矢印の先端の向かう方向を上と定義し、矢印の先端と逆方向を下と定義する。「第１部材の上の第２部材」及び「第１部材の下の第２部材」とした場合、第２部材は、第１部材に接していてもよく、又は第１部材から離れて位置していてもよい。また、第３方向Ｚにおいて上から第１方向Ｘ及び第２方向Ｙによって規定されるＸ−Ｙ平面に向かってみることを平面視という。  
表示装置ＤＳＰは、バックライトユニットＢＬ、表示パネルＰＮＬ、及びカバー部材ＣＧを備えている。  
表示パネルＰＮＬは、第３方向Ｚに沿って、第１基板ＳＵＢ１、液晶層ＬＣ、及び第２基板ＳＵＢ２の順に配置されている。    第１基板ＳＵＢ１は、第１絶縁基板１０、第１絶縁膜１１、第２絶縁膜１２、第３絶縁膜１３、第４絶縁膜１４、第５絶縁膜１５、信号線Ｓ、共通電極ＣＥ、画素電極ＰＥ、第１配向膜ＡＬ１などを備えている。例えば、第１絶縁膜１１、第２絶縁膜１２、第３絶縁膜１３、及び第５絶縁膜１５は、シリコン酸化物、シリコン窒化物、シリコン酸窒化物などの無機絶縁膜である。例えば、第４絶縁膜１４は、アクリル樹脂などの有機絶縁膜である。なお、第１絶縁膜１１、第２絶縁膜１２、第３絶縁膜１３、及び第５絶縁膜１５は、単層構造であっても良いし、多層構造であっても良い。
【００２３】
第１絶縁基板１０は、光透過性を有する基板である。一例として、第１絶縁基板１０は、可撓性を有するフレキシブル基板である。例えば、第１絶縁基板１０は、ポリイミド等の樹脂基板である。第１絶縁膜１１は、第１絶縁基板１０の上に位置している。第２絶縁膜１２は、第１絶縁膜１１の上に位置している。第３絶縁膜１３は、第２絶縁膜１２の上に位置している。  
信号線Ｓは、第３絶縁膜１３の上に位置し、第４絶縁膜１４によって覆われている。図示した例では、複数の信号線Ｓは、第３絶縁膜１３の上で、第１方向Ｘに間隔を置いて配置されている。
【００２４】
共通電極ＣＥは、第４絶縁膜１４の上に位置している。第５絶縁膜１５は、共通電極ＣＥの上に位置している。画素電極ＰＥは、第５絶縁膜１５の上に位置し、第１配向膜ＡＬ１によって覆われている。画素電極ＰＥは、第５絶縁膜１５を介して共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。図示した例では、複数の画素電極ＰＥは、第５絶縁膜１５の上で、第１方向Ｘに間隔を置いて配置されている。第１配向膜ＡＬ１は、第５絶縁膜１５及び画素電極ＰＥの上に位置している。
【００２５】
第２基板ＳＵＢ２は、第２絶縁基板２０、遮光層ＢＭ、カラーフィルタＣＦ、オーバーコート層ＯＣ、第２配向膜ＡＬ２などを備えている。図示した例では、第２基板ＳＵＢ２は、第１基板ＳＵＢ１の上に位置し、第１基板ＳＵＢ１に対向している。  
第２絶縁基板２０は、光透過性を有する基板である。一例として、第２絶縁基板２０は、可撓性を有するフレキシブル基板である。例えば、第２絶縁基板２０は、ポリイミド等の樹脂基板である。  
遮光層ＢＭは、第２絶縁基板２０の下に位置し、カラーフィルタＣＦによって覆われている。また、遮光層ＢＭは、信号線Ｓの直上に位置している。図示した例では、遮光層ＢＭは、第２絶縁基板２０の下で、第１方向Ｘに間隔を置いて配置されている。遮光層ＢＭは、開口部ＯＰを区画している。図示した例では、開口部ＯＰは、第１方向Ｘで隣り合う２つの遮光層ＢＭの間に位置している。
【００２６】
カラーフィルタＣＦは、第２絶縁基板２０と遮光層ＢＭの一部とを覆い、開口部ＯＰを覆っている。カラーフィルタＣＦの一部は、遮光層ＢＭの一部と重なっている。カラーフィルタＣＦは、画素電極ＰＥの上に位置している。オーバーコート層ＯＣは、カラーフィルタＣＦを覆っている。第２配向膜ＡＬ２は、オーバーコート層ＯＣを覆っている。  
第１配向膜ＡＬ１と第２配向膜ＡＬ２との間には、所定のセルギャップが形成される。セルギャップは、例えば２〜５μｍである。第１基板ＳＵＢ１及び第２基板ＳＵＢ２は、所定のセルギャップが形成された状態で前述したシール材によって貼り合わせられている。
【００２７】
液晶層ＬＣは、第１基板ＳＵＢ１及び第２基板ＳＵＢ２の間に形成されたセルギャップに保持されている。図示した例では、液晶層ＬＣは、第１配向膜ＡＬ１と第２配向膜ＡＬ２との間に保持されている。液晶層ＬＣは、液晶分子を含んでいる。このような液晶層ＬＣは、ポジ型（誘電率異方性が正）の液晶材料、あるいは、ネガ型（誘電率異方性が負）の液晶材料によって構成されている。
【００２８】
上記のような構成の表示パネルＰＮＬに対して、第１基板ＳＵＢ１の下には、第１偏光板ＰＬ１を含む第１光学素子ＯＤ１が配置されている。また、第２基板ＳＵＢ２の上には、第２偏光板ＰＬ２を含む第２光学素子ＯＤ２が配置されている。図示した例では、第１光学素子ＯＤ１は、第１絶縁基板１０の下に配置され、第２光学素子ＯＤ２は、第２絶縁基板２０の上に配置されている。一例では、第１偏光板ＰＬ１及び第２偏光板ＰＬ２は、それぞれの吸収軸がＸ−Ｙ平面において互いに直交するように配置されている。なお、第１光学素子ＯＤ１及び第２光学素子ＯＤ２は、必要に応じて、１／４波長板や１／２波長板などの位相差板、散乱層、反射防止層などを備えていても良い。
【００２９】
カバー部材ＣＧは、第２基板ＳＵＢ２の上に位置している。カバー部材ＣＧは、例えばガラス製であるが、樹脂製であってもよい。カバー部材ＣＧは、第２基板ＳＵＢ２と接着剤ＡＤで接着されている。図示した例では、カバー部材ＣＧは、第２光学素子ＯＤ２の上に接着剤ＡＤで接着されている。なお、カバー部材ＣＧと第２光学素子ＯＤ２との間には、接着剤ＡＤ以外にいくつかの層が配置されていてもよい。
【００３０】
このような構成例の表示装置ＤＳＰにおいては、画素電極ＰＥと共通電極ＣＥとの間に電界が形成されていないオフ状態において、液晶層ＬＣに含まれる液晶分子は、第１配向膜ＡＬ１及び第２配向膜ＡＬ２の間で所定の方向に初期配向している。このようなオフ状態では、バックライトユニットＢＬから表示パネルＰＮＬに向けて照射された光は、第１光学素子ＯＤ１及び第２光学素子ＯＤ２によって吸収され、暗表示となる。一方、画素電極ＰＥと共通電極ＣＥとの間に電界が形成されたオン状態においては、液晶分子は、電界により初期配向方向とは異なる方向に配向し、その配向方向は電界によって制御される。このようなオン状態では、バックライトユニットＢＬからの光の一部は、第１光学素子ＯＤ１及び第２光学素子ＯＤ２を透過し、明表示となる。
【００３１】
図４は、第１実施形態に係る表示パネルＰＮＬの構成例を示す平面図である。図４は、表示パネルＰＮＬにおけるスペーサＰＳの配置例を示している。  
表示パネルＰＮＬは、第１基板ＳＵＢ１と第２基板ＳＵＢ２との間に所定のセルギャップを形成するためにスペーサＰＳを備えている。表示パネルＰＮＬは、平面視した場合に、表示領域ＤＡの中央に位置する領域に対してこの領域の外側に位置する領域の単位面積当たりに占めるスペーサＰＳの割合が大きい。つまり、表示パネルＰＮＬは、表示領域ＤＡの中央に位置する領域と比べてこの領域の外側に位置する領域の方に高密度にスペーサＰＳが配置されている。  
図示した例では、スペーサＰＳは、第２方向Ｙに延出し、第１方向Ｘの幅よりも第２方向Ｙの幅が長い。表示パネルＰＮＬは、表示領域ＤＡの中央に位置する第１領域ＡＲ１と比べて第１領域ＡＲ１の外側に位置する第２領域ＡＲ２に高密度にスペーサＰＳが配置されている。一例として、第２領域ＡＲ２は、表示領域ＤＡにおいて、第１領域ＡＲ１と４つの端部ＤＡｅ１乃至ＤＡｅ４との間に位置している。
【００３２】
図５は、第１実施形態に係るスペーサＰＳの構成例を示す平面図である。図５は、図４に示したスペーサＰＳを拡大した図である。図５では、説明に必要な構成のみを示している。  
スペーサＰＳは、凸部ＣＰと、凸部ＣＰと対となる凹部ＲＰとを備えている。平面視した場合、凸部ＣＰは、凹部ＲＰの内側に位置している。図示した例では、凸部ＣＰは、４つの端部ＣＰｅ１１、ＣＰｅ１２、ＣＰｅ１３、及びＣＰｅ１４を有している。また、凹部ＲＰは、４つの内壁ＩＷ１１、ＩＷ１２、ＩＷ１３、及びＩＷ１４を有している。凸部ＣＰの第１方向Ｘの２つの端部ＣＰｅ１２、ＣＰｅ１３は、それぞれ、凹部ＲＰの第１方向Ｘの２つの内壁ＩＷ１２、ＩＷ１３から間隔ＷＳ１を置いて離間している。また、凸部ＣＰの第２方向Ｙの２つの端部ＣＰｅ１１、ＣＰｅ１４は、それぞれ、凹部ＲＰの第２方向Ｙの２つの内壁ＩＷ１１、ＩＷ１４から間隔ＷＬ１を置いて離間している。一例として、間隔ＷＳ１は、５μｍである。間隔ＷＳ１は、間隔ＷＬ１よりも大きい。また、例えば、間隔ＷＳ１は、間隔ＷＬ１よりも小さくてもよい。なお、第１方向Ｘにおいて、端部ＣＰｅ１２と内壁ＩＷ１２との間隔は、端部ＣＰｅ１３と内壁ＩＷ１３との間隔と異なっていてもよい。また、第２方向Ｙにおいて、端部ＣＰｅ１１と内壁ＩＷ１１との間隔は、端部ＣＰｅ１４と内壁ＩＷ１４との間隔と異なっていてもよい。
【００３３】
平面視した場合、スペーサＰＳは、信号線Ｓと走査線Ｇとの交差する部分に重畳し、第２方向Ｙに延出している。図示した例では、スペーサＰＳは、信号線Ｓに沿って折れ曲がって、第２方向Ｙに延出している。平面視した場合、凸部ＣＰ及び凹部ＲＰは、それぞれ、信号線Ｓに沿って折れ曲がって、第２方向Ｙに延出している。なお、スペーサＰＳは、平面視した場合、他の形状であってもよい、例えば、円形状や四角形状に形成されていてもよい。また、凸部ＣＰは、凹部ＲＰと異なる形状で形成されていてもよい。
【００３４】
図６は、図５に示したＶＩ−ＶＩに沿って切断した表示装置ＤＳＰを構成するスペーサＰＳの構成例を示す断面図である。  
半導体層ＳＣは、第１絶縁膜１１と第２絶縁膜１２との間に位置している。図示した例では、複数の半導体層ＳＣ（ＳＣｎ、ＳＣｎ＋１）は、第１絶縁膜１１の上で、第１方向Ｘに間隔を置いて配置されている。
【００３５】
ドレイン電極ＤＲは、第３絶縁膜１３と第４絶縁膜１４との間に位置している。図示した例では、複数のドレイン電極ＤＲ（ＤＲｎ、ＤＲｎ＋１）は、第３絶縁膜１３の上で、第１方向Ｘに間隔を置いて配置されている。コンタクトホールＣＨは、第４絶縁膜１４及び第５絶縁膜１５をドレイン電極ＤＲまで貫通している。図示した例では、コンタクトホールＣＨｎは、第４絶縁膜１４及び第５絶縁膜１５をドレイン電極ＤＲｎまで貫通している。コンタクトホールＣＨｎ＋１は、第４絶縁膜１４及び第５絶縁膜１５をドレイン電極ＤＲｎ＋１まで貫通している。画素電極ＰＥは、コンタクトホールＣＨを介してドレイン電極ＤＲと電気的に接続されている。図示した例では、画素電極ＰＥｎは、コンタクトホールＣＨｎを介してドレイン電極ＤＲｎと電気的に接続されている。画素電極ＰＥｎ＋１は、コンタクトホールＣＨｎ＋１を介してドレイン電極ＤＲｎ＋１と電気的に接続されている。また、図示していないが、ドレイン電極ＤＲは、第２絶縁膜１２及び第３絶縁膜を貫通するコンタクトホールを介して半導体層ＳＣに電気的に接続されている。そのため、ドレイン電極ＤＲｎは、半導体層ＳＣｎに電気的に接続されている。ドレイン電極ＤＲｎ＋１は、半導体層ＳＣｎ＋１に電気的に接続されている。
【００３６】
スペーサＰＳは、第１基板ＳＵＢ１と第２基板ＳＵＢ２との間で、第１基板ＳＵＢ１と第２基板ＳＵＢ２とを支持している。凸部ＣＰは、第３方向Ｚに延出し、凹部ＲＰは、第３方向に窪んでいる。凸部ＣＰは、対となる凹部ＲＰに対向している。図示した例では、凸部ＣＰは、第２基板ＳＵＢ２に位置し、凹部ＲＰは、第１基板ＳＵＢ１に位置している。凸部ＣＰは、オーバーコート層ＯＣの下に固定されている。凸部ＣＰは、第３方向Ｚにおいて、先端部ＴＰに向かって先細るテーパ形状を有している。凸部ＣＰは、テーパ形状の部分が第２配向膜ＡＬ２によって覆われている。凸部ＣＰの先端部ＴＰは、凹部ＲＰに嵌合している。凸部ＣＰの先端部ＴＰは、凹部ＲＰの底部ＢＴに接していてもよい。凹部ＲＰは、例えば、第１配向膜ＡＬ１、第４絶縁膜１４、及び第５絶縁膜１５を除去して形成されている。そのため、凹部ＲＰの底部ＢＴは、例えば、第４絶縁膜１４に位置する。凹部ＲＰの第３方向Ｚの深さｈは、例えば、凸部ＣＰが第１基板ＳＵＢ１と第２基板ＳＵＢ２との間に生じる位置ずれ等により凹部ＲＰから飛び出さない大きさである。好適には、深さｈは、１．５μｍ以上である。なお、深さｈは、１．５μｍよりも小さくてもよい。このように構成されたスペーサＰＳは、凹部ＲＰの底部ＢＴに配向膜を有していないため、凸部ＴＰが位置ずれ等により配向膜、例えば、第１配向膜ＡＬ１を損傷することがない。また、スペーサＰＳは、凸部ＣＰが凹部ＲＰに嵌合されているため、位置ずれ等を防止できる。
【００３７】
図７は、第１実施形態に係る表示パネルＰＮＬの第１領域ＡＲ１の構成例を示す平面図である。図７は、表示パネルＰＮＬの第１領域ＡＲ１における図５及び図６に示したスペーサＰＳの配置の一例を示している。図７では、表示パネルＰＮＬの第１領域ＡＲ１の一部を図示し、説明に必要な構成のみを示している。  
第１領域ＡＲ１において、複数のスペーサＰＳは、第１方向Ｘに間隔Ｄｘ１を置いて配置され、第１方向Ｙに間隔Ｄｙ１を置いて配置されている。例えば、第１領域ＡＲ１において、スペーサＰＳが密度Ｍで配置されている場合、第２領域ＡＲ２において、スペーサＰＳは、密度Ｍより大きく密度２×Ｍ以下の範囲で配置されていることが好ましい。
【００３８】
図示した例では、スペーサＳＰ１１は、信号線Ｓ４と走査線Ｇ５２とが交差する部分に重畳している。スペーサＰＳ１２は、信号線Ｓ１３と走査線Ｇ５２とが交差する部分に重畳している。スペーサＰＳ１３は、信号線Ｓ４と走査線Ｇ５５とが交差する部分に重畳している。スペーサＰＳ１３は、信号線Ｓ１３と走査線Ｇ５５とが交差する部分に重畳している。  
スペーサＰＳ１１とスペーサＰＳ１２とは、第１方向Ｘで間隔Ｄｘ１を置いて離間している。スペーサＰＳ１３とスペーサＰＳ１４とは、第１方向Ｘで間隔Ｄｘ１を置いて離間している。スペーサＰＳ１１とスペーサＰＳ１３とは、第２方向Ｙで間隔Ｄｙ１を置いて離間している。スペーサＰＳ１２とスペーサＰＳ１４とは、第２方向Ｙで間隔Ｄｙ１を置いて離間している。  
なお、第１領域ＡＲ１において、複数のスペーサＰＳは、第１方向Ｘに沿って異なる間隔を置いて配置され、第２方向Ｙに沿って異なる間隔を置いて配置されていてもよい。例えば、スペーサＰＳ１１とスペーサＰＳ１２との第１方向Ｘの間隔は、スペーサＰＳ１３とスペーサＰＳ１４との第１方向Ｘの間隔と異なっていてもよい。スペーサＰＳ１１とスペーサＰＳ１３との第２方向Ｙの間隔は、スペーサＰＳ１２とスペーサＰＳ１４との第２方向Ｙの間隔と異なっていてもよい。
【００３９】
図８は、第１実施形態に係る表示パネルＰＮＬの第２領域ＡＲ２の構成例を示す平面図である。図８は、表示パネルＰＮＬの第２領域ＡＲ２における図５及び図６に示したスペーサＰＳの配置の一例を示している。図８では、表示パネルＰＮＬの第２領域ＡＲ２の一部を図示し、説明に必要な構成のみを示している。  
第２領域ＡＲ２において、複数のスペーサＰＳは、第１方向Ｘに間隔Ｄｘ２を置いて配置され、第２方向Ｙに間隔Ｄｙ２を置いて配置されている。間隔Ｄｘ２は、間隔Ｄｘ１より小さく、間隔Ｄｙ２は、間隔Ｄｙ１よりも小さい。例えば、間隔Ｄｘ２は、第１方向Ｘで約３副画素分の幅に相当するが、図示した例に限定されない。また、間隔Ｄｙ２は、第２方向Ｙで約１副画素分の幅に相当するが、図示した例に限定されない。そのため、スペーサＰＳは、第１領域ＡＲ１よりも高密度に第２領域ＡＲ２に配置されている。
【００４０】
図示した例では、スペーサＰＳ１０１は、信号線Ｓ１０１と走査線Ｇ５１とが交差する部分に重畳している。スペーサＰＳ１０２は、信号線Ｓ１０４と走査線Ｇ５１とが交差する部分に重畳している。スペーサＰＳ１０３は、信号線Ｓ１０７と走査線Ｇ５１とが交差する部分に重畳している。スペーサＰＳ１０４は、信号線Ｓ１０１と走査線Ｇ５２とが交差する部分に重畳している。スペーサＰＳ１０５は、信号線Ｓ１０４と走査線Ｇ５２とが交差する部分に重畳している。スペーサＰＳ１０６は、信号線Ｓ１０７と走査線Ｇ５２とが交差する部分に重畳している。スペーサＰＳ１０７は、信号線Ｓ１０１と走査線Ｇ５３とが交差する部分に重畳している。スペーサＰＳ１０８は、信号線Ｓ１０４と走査線Ｇ５３とが交差する部分に重畳している。スペーサＰＳ１０９は、信号線Ｓ１０７と走査線Ｇ５３とが交差する部分に重畳している。
【００４１】
スペーサＰＳ１０１、ＰＳ１０２、及びＰＳ１０３は、走査線Ｇ５１に沿って、第１方向Ｘに間隔Ｄｘ２を置いて配置されている。スペーサＰＳ１０４、ＰＳ１０５、及びＰＳ１０６は、走査線Ｇ５２に沿って、第１方向Ｘに間隔Ｄｘ２を置いて配置されている。スペーサＰＳ１０７、ＰＳ１０８、及びＰＳ１０９は、走査線Ｇ５３に沿って、第１方向Ｘに間隔Ｄｘ２を置いて配置されている。また、スペーサＰＳ１０１、ＰＳ１０４、及びＰＳ１０７は、信号線Ｓ１０１に沿って、第２方向Ｙに間隔Ｄｙ２を置いて配置されている。スペーサＰＳ１０４、ＰＳ１０５、及びＰＳ１０８は、信号線Ｓ１０４に沿って、第２方向Ｙに間隔Ｄｙ２を置いて配置されている。スペーサＰＳ１０３、ＰＳ１０６、及びＰＳ１０９は、信号線Ｓ１０７に沿って、第２方向Ｙに間隔Ｄｙ２を置いて配置されている。
【００４２】
なお、第２領域ＡＲ２において、複数のスペーサＰＳは、第１領域ＡＲ１での第１方向Ｘにおける間隔よりも短い間隔であれば、第１方向Ｘに沿って異なる間隔を置いて配置されていてもよい。例えば、スペーサＰＳ１０１とスペーサＰＳ１０２との第１方向Ｘの間隔は、スペーサＰＳ１０２とスペーサＰＳ１０３との第１方向Ｘの間隔と異なっていてもよい。また、第２領域ＡＲ２において、複数のスペーサＰＳは、第１領域ＡＲ１での第２方向Ｙにおける間隔よりも短い間隔であれば、第２方向Ｙに沿って異なる間隔を置いて配置されていてもよい。例えば、スペーサＰＳ１０１とスペーサＰＳ１０４との第２方向Ｙの間隔は、スペーサＰＳ１０４とスペーサＰＳ１０７との第２方向Ｙの間隔と異なっていてもよい。
【００４３】
図９は、第１実施形態に係る遮光層ＢＭ及びカラーフィルタＣＦの構成例を示す平面図である。図９は、図７に示した第１領域ＡＲ１と図８に示した第２領域ＡＲ２とにおける遮光層ＢＭ及びカラーフィルタＣＦの配置の一例を示している。図９では、左側に第１領域ＡＲ１の構成例の一部を示し、右側に第２領域ＡＲ２の構成例の一部を示している。  
平面視した場合、遮光層ＢＭは、信号線Ｓ及び走査線Ｇに重畳している。図示した例では、遮光層ＢＭは、信号線Ｓ及び走査線Ｇに沿って、格子状に構成されている。遮光層ＢＭは、走査線Ｇに沿って第１方向Ｘに延出する横遮光層ＢＭＸと、信号線Ｓに沿って第２方向Ｙに延出する縦遮光層ＢＭＹとを備えている。なお、遮光層ＢＭは、はしご状やストライプ状などの格子状以外の構成であってもよい。また、図示した例では、スペーサＰＳの第２方向Ｙの幅は、周囲の横遮光層ＢＭＸの第２方向Ｙの幅ＢＭｙよりも大きい。そのため、遮光層ＢＭは、液晶分子の配向不良などに起因する光漏れを防止するために、スペーサＰＳに重畳する拡張部ＥＰを備えている。拡張部ＥＰは、開口部ＯＰ側に拡張している。図示した例では、拡張部ＥＰは、信号線Ｓ及び走査線Ｇが交差する部分で円形状に開口部ＯＰ側に拡張している。そのため、拡張部ＥＰの第２方向Ｙの幅は、周囲の横遮光層ＢＭＸの第２方向Ｙの幅ＢＭｙよりも大きい。
【００４４】
図示した例では、第１領域ＡＲ１において、拡張部ＥＰ１１は、スペーサＰＳ１１に重畳している。また、第２領域ＡＲ２において、拡張部ＥＰ１０１、ＥＰ１０２、ＥＰ１０３、ＥＰ１０４、ＥＰ１０５、ＥＰ１０６、ＥＰ１０７、ＥＰ１０８、及びＥＰ１０９は、それぞれ、スペーサＰＳ１０１、ＰＳ１０２、ＰＳ１０３、ＰＳ１０４、ＰＳ１０５、ＰＳ１０６、ＰＳ１０７、ＰＳ１０８、及びＰＳ１０９に重畳している。
【００４５】
開口部ＯＰは、表示に寄与する領域である。図示した例では、開口部ＯＰは、遮光層ＢＭにより区画され、Ｘ−Ｙ平面上にマトリクス状に並んでいる。カラーフィルタＣＦは、開口部ＯＰに位置している。カラーフィルタＣＦは、第１色のカラーフィルタＣＦ１と、第２色のカラーフィルタＣＦ２と、第３色のカラーフィルタＣＦ３とを備えている。第１色、第２色、及び第３色は、互いに異なる色である。一例では、カラーフィルタＣＦ１は、赤色カラーフィルタであり、カラーフィルタＣＦ２は、緑色カラーフィルタであり、カラーフィルタＣＦ３は、青色カラーフィルタである。第１方向Ｘおいて、カラーフィルタＣＦ１、カラーフィルタＣＦ２、及びカラーフィルタＣＦ３は、この順番で周期的に繰り返し配置されている。また、カラーフィルタＣＦ１、カラーフィルタＣＦ２、及びカラーフィルタＣＦ３は、それぞれ、第２方向Ｙに間隔を置いて配置されている。
【００４６】
図示した例では、第１領域ＡＲ１において、カラーフィルタＣＦ１乃至ＣＦ３は、信号線Ｓ１から信号線Ｓ７までの間で、第１方向Ｘに沿って、この順番で周期的に繰り返し配置されている。第１領域ＡＲ１と同様に第２領域ＡＲ２においても、カラーフィルタＣＦ１乃至ＣＦ３は、信号線Ｓ１０１から信号線Ｓ１０７までの間で、第１方向Ｘに沿って、この順番で周期的に繰り返し配置されている。また、拡張部ＥＰ１１と、ＥＰ１０１乃至ＥＰ１０９とは、それぞれ、カラーフィルタＣＦ１及びカラーフィルタＣＦ３の間に位置している。
【００４７】
図１０は、第１実施形態の表示装置ＤＳＰの構成例を示す断面図である。  
図示した例では、表示装置ＤＳＰは、第１方向Ｘの両端部で湾曲している２つの湾曲部ＣＶ（ＣＶ１、ＣＶ２）と、２つの湾曲部ＣＶの間で略平坦な平坦部ＦＰとを備えている。平坦部ＦＰは、第１領域ＡＲ１を有し、湾曲部ＣＶは、第２領域ＡＲ２を有している。なお、表示装置ＤＳＰは、第１方向Ｘにおいて、２つの湾曲部ＣＶの間の領域が湾曲している構成であってもよい。また、表示装置ＤＳＰは、第１方向Ｘにおいて、湾曲していない構成であってもよい。表示装置ＤＳＰは、第２方向Ｙの両端部で湾曲している２つの湾曲部を備えていてもよい。
【００４８】
例えば、表示装置ＤＳＰの製造時に表示パネルＰＮＬをカバー部材ＣＧに貼り合わせる場合や、通常の使用する場合等で、第１基板ＳＵＢ１及び第２基板ＳＵＢ２の間で位置ずれが生じ得る。一例として、カバー部材ＣＧに表示パネルＰＮＬを貼り付けた場合、第１基板ＳＵＢ１に第１方向Ｘの外側に伸びる応力が生じ、第２基板ＳＵＢ２に第１方向Ｘの内側に縮む応力が生じ得る。この場合、表示パネルＰＮＬに加わる応力に応じて、第１基板ＳＵＢ１及び第２基板ＳＵＢ２の間で第１方向Ｘに位置ずれ（以下で、横ずれと称する）が生じ得る。表示パネルＰＮＬに加わる応力の大きさは、平坦部ＦＰよりも湾曲部ＣＶに生じる応力が大きい。そのため、表示パネルＰＮＬにおいて、横ずれの大きさは、平坦部ＦＰよりも湾曲部ＣＶの方が大きくなる。
【００４９】
表示パネルＰＮＬは、第１方向Ｘにおいて、応力の大きさに応じて、高密度にスペーサＰＳが配置されている。例えば、表示パネルＰＮＬは、図７及び図８に示すように、第１方向Ｘにおいて、第１領域ＡＲ１よりも第２領域ＡＲ２に高密度にスペーサＰＳが配置されている。このように、応力の大きさに応じてスペーサＰＳを配置することで、表示パネルＰＮＬは、第１基板ＳＵＢ１及び第２基板ＳＵＢ２の間に生じる横ずれを効率的に防止できる。なお、第１領域ＡＲ１から第２領域ＡＲ２に亘って、スペーサは、曲げ角度に応じて重み付けられた密度分布になるように配置されている。例えば、第１領域ＡＲ１において、スペーサＰＳが密度Ｍで配置されている場合、スペーサＰＳは、第２領域ＡＲ２において、曲げ角度が大きくなるに応じて密度が大きくなるように配置されている。スペーサＰＳは、第２領域ＡＲ２において、密度Ｍよりも大きく密度２×Ｍ以下の範囲で配置されている。
【００５０】
なお、第２方向Ｙに湾曲する湾曲部を備える場合にも第１方向Ｘに湾曲する湾曲部を備える場合と同様に、表示パネルＰＮＬにおいて、第２方向Ｙに生じる応力の大きさに応じて、高密度にスペーサＰＳが配置される。例えば、表示パネルＰＮＬは、第２方向Ｙにおいて、第１領域ＡＲ１よりも第２領域ＡＲ２に高密度にスペーサＰＳが配置されている。このように第２方向Ｙに生じる応力の大きさに応じて高密度にスペーサＰＳを配置することで、表示パネルＰＮＬは、第１基板ＳＵＢ１及び第２基板ＳＵＢ２の間に生じる第２方向Ｙの位置ずれを効率的に防止できる。
【００５１】
本実施形態によれば、表示装置ＤＳＰは、第１基板ＳＵＢ１と第２基板ＳＵＢ２とがシール材ＳＬにより貼り付けられて構成された表示パネルＰＮＬを備えている。表示パネルＰＮＬは、第１基板ＳＵＢ１及び第２基板ＳＵＢ２の間にスペーサＰＳを備えている。表示パネルＰＮＬにおいて、スペーサＰＳは、中央に位置する第１領域ＡＲ１よりも第１領域ＡＲ１の外側に位置する第２領域ＡＲ２の方が高密度に配置されている。そのため、表示装置ＤＳＰは、位置ずれ等に起因してスペーサＰＳと配向膜とが擦れることによる配向膜の損傷を防止できる。つまり、表示装置ＤＳＰは、配向膜の損傷による配向不良に起因する光漏れを抑制し、コントラスト比の低下を防止できる。したがって、表示品位を改善可能な表示装置を提供することができる。
【００５２】
次に、変形例および他の実施形態に係る表示装置について説明する。以下に説明する変形例および他の実施形態において、前述した第１実施形態と同一の部分には、同一の参照符号を付しその詳細な説明を省略あるいは簡略化し、第１実施形態と異なる部分を中心に詳細に説明する。
【００５３】
図１１は、変形例１に係る表示パネルＰＮＬの構成例を示す平面図である。図１１、表示パネルＰＮＬにおけるスペーサＰＳの配置例を示している。  
変形例１に係る表示装置ＤＳＰは、図４に示した表示装置ＤＳＰと比べてスペーサＰＳの配置が異なる点が相違する。  
図示した例では、表示パネルＰＮＬは、第２領域ＡＲ２の角領域ＣＡ（ＲＣＡ１、ＲＣＡ２、ＬＣＡ１、及びＬＣＡ２）にスペーサＰＳが配置されている。４つの角領域ＲＣＡ１、ＲＣＡ２、ＬＣＡ１、及びＬＣＡ２は、それぞれ、第２領域ＡＲ２の４つの角部に位置している。角領域ＣＡに配置されたスペーサＰＳは、四角形状である。
【００５４】
図１２は、変形例１に係るスペーサＰＳの構成例を示す平面図である。図１２は、図１１に示した角領域ＣＡに配置されたスペーサＰＳを拡大した図である。図１２では、説明に必要な構成のみを示している。
図示した例では、凸部ＣＰは、４つの端部ＣＰｅ２１、ＣＰｅ２２、ＣＰｅ２３、及びＣＰｅ２４を有している。また、凹部ＲＰは、４つの内壁ＩＷ２１、ＩＷ２２、ＩＷ２３、及びＩＷ２４を有している。凸部ＣＰの第１方向Ｘの２つの端部ＣＰｅ２２、ＣＰｅ２３は、それぞれ、凹部ＲＰの第１方向Ｘの２つの内壁ＩＷ２２、ＩＷ２３から間隔ＷＳ２を置いて離間している。また、凸部ＣＰの第２方向Ｙの２つの端部ＣＰｅ２１、ＣＰｅ２４は、それぞれ、凹部ＲＰの第２方向Ｙの２つの内壁ＩＷ２１、ＩＷ２４から間隔ＷＬ２を置いて離間している。一例として、間隔ＷＳ２は、５μｍである。また、例えば、間隔ＷＳ２及び間隔ＷＬ２は、同等であってもよい。なお、第１方向Ｘにおいて、端部ＣＰｅ２２と内壁ＩＷ２２との間隔は、端部ＣＰｅ２３と内壁ＩＷ２３との間隔と異なっていてもよい。また、第２方向Ｙにおいて、端部ＣＰｅ２１と内壁ＩＷ２１との間隔は、端部ＣＰｅ２４と内壁ＩＷ２４との間隔と異なっていてもよい。
【００５５】
平面視した場合、スペーサＰＳは、信号線Ｓと走査線Ｇとの交差する部分に重畳している。また、スペーサＰＳは、凸部ＣＰ及び凹部ＲＰがそれぞれ正方形状に形成されている。図示した例では、凹部ＲＰは、１辺の長さＬ１の正方形状であり、凸部ＣＰは、１辺の長さＬ２の正方形状である。長さＬ１は、長さＬ２よりも大きい。また、図１２に示したスペーサＰＳの断面は、図６に示したスペーサＰＳの断面とほぼ同等であるため、説明を省略する。
【００５６】
図１３は、変形例１に係る表示パネルＰＮＬの角領域ＣＡの構成例を示す平面図である。図１３は、表示パネルＰＮＬの４つの角領域ＣＡの内の１つの角領域ＲＣＡ１における図１２に示したスペーサＰＳの配置の一例を示している。図１３では、表示パネルＰＮＬの角領域ＣＡの一部を図示し、説明に必要な構成のみを示している。なお、角領域ＲＣＡ１以外の他の角領域ＣＡ（ＲＣＡ２、ＬＣＡ１及びＬＣＡ２）でも角領域ＲＣＡ１と同様に図１２に示したスペーサＰＳの配置が適用できる。そのため、角領域ＲＣＡ１以外の他の角領域ＣＡでのスペーサＰＳの配置の説明を省略する。
【００５７】
角領域ＲＣＡ１において、複数のスペーサＰＳは、第１方向Ｘに間隔Ｄｘ３を置いて配置され、第２方向Ｙに間隔Ｄｙ３を置いて配置されている。間隔Ｄｘ３は、間隔Ｄｘ１よりも小さく、間隔Ｄｙ３は、間隔Ｄｙ１よりも小さい。例えば、間隔Ｄｘ３は、副画素ＰＸを第１方向Ｘで約３副画素分の幅に相当するが、図示した例に限定されてない。また、間隔Ｄｙ３は、第２方向Ｙで約１副画素分の幅に相当するが、図示した例に限定されない。そのため、スペーサＰＳは、第１領域ＡＲ１よりも高密度に角領域ＣＡに配置されている。
【００５８】
図示した例では、スペーサＰＳ２０１は、信号線Ｓ１０１と走査線Ｇ１とが交差する部分に重畳している。スペーサＰＳ２０２は、信号線Ｓ１０４と走査線Ｇ１とが交差する部分に重畳している。スペーサＰＳ２０３は、信号線Ｓ１０７と走査線Ｇ１とが交差する部分に重畳している。スペーサＰＳ２０４は、信号線Ｓ１０１と走査線Ｇ２とが交差する部分に重畳している。スペーサＰＳ２０５は、信号線Ｓ１０４と走査線Ｇ２とが交差する部分に重畳している。スペーサＰＳ２０６は、信号線Ｓ１０７と走査線Ｇ２とが交差する部分に重畳している。スペーサＰＳ２０７は、信号線Ｓ１０１と走査線Ｇ３とが交差する部分に重畳している。スペーサＰＳ２０８は、信号線Ｓ１０４と走査線Ｇ３とが交差する部分に重畳している。スペーサＰＳ２０９は、信号線Ｓ１０７と走査線Ｇ３とが交差する部分に重畳している。
【００５９】
スペーサＰＳ２０１、ＰＳ２０２、及びＰＳ２０３は、走査線Ｇ１に沿って、第１方向Ｘに間隔Ｄｘ３を置いて配置されている。スペーサＰＳ２０４、ＰＳ２０５、及びＰＳ２０６は、走査線Ｇ２に沿って、第１方向Ｘに間隔Ｄｘ３を置いて配置されている。スペーサＰＳ２０７、ＰＳ２０８、及びＰＳ２０９は、走査線Ｇ３に沿って、第１方向Ｘに間隔Ｄｘ３を置いて配置されている。また、スペーサＰＳ２０１、ＰＳ２０４、及びＰＳ２０７は、信号線Ｓ１０１に沿って、第２方向Ｙに間隔Ｄｙ３を置いて配置されている。スペーサＰＳ２０４、ＰＳ２０５、及びＰＳ２０８は、信号線Ｓ１０４に沿って、第２方向Ｙに間隔Ｄｙ３を置いて配置されている。スペーサＰＳ２０３、ＰＳ２０６、及びＰＳ２０９は、信号線Ｓ１０７に沿って、第２方向Ｙに間隔Ｄｙ３を置いて配置されている。
【００６０】
なお、角領域ＲＣＡ１において、複数のスペーサＰＳは、第１領域ＡＲ１での第１方向Ｘにおける間隔よりも短い間隔であれば、第１方向Ｘに沿って異なる間隔を置いて配置されていてもよい。例えば、スペーサＰＳ２０１とスペーサＰＳ２０２との第１方向Ｘの間隔は、スペーサＰＳ２０２とスペーサＰＳ２０３との第１方向Ｘの間隔と異なっていてもよい。また、角領域ＲＣＡ１において、複数のスペーサＰＳは、第１領域ＡＲ１での第２方向Ｙにおける間隔よりも短い間隔であれば、第２方向Ｙに沿って異なる間隔を置いて配置されていてもよい。例えば、スペーサＰＳ２０１とスペーサＰＳ２０４との第２方向Ｙの間隔は、スペーサＰＳ２０４とスペーサＰＳ２０７との第２方向Ｙの間隔と異なっていてもよい。
【００６１】
図１４は、変形例１に係る遮光層ＢＭ及びカラーフィルタＣＦの構成例を示す平面図である。図１４は、図１３に示した角領域ＲＣＡ１における遮光層ＢＭ及びカラーフィルタＣＦの配置の一例を示している。図１４では、説明に必要な構成のみを示している。  
図示した例では、スペーサＰＳの第２方向Ｙの幅は、周囲の横遮光層ＢＭＸの第２方向Ｙの幅ＢＭｙよりも小さい。そのため、角領域ＲＣＡ１において、遮光層ＢＭは、図９に示した拡張部ＥＰを備えていない。
【００６２】
図示した例では、角領域ＲＣＡ１において、遮光層ＢＭは、スペーサ２０１乃至２０９に重畳している。角領域ＲＣＡ１において、カラーフィルタＣＦ１乃至ＣＦ３は、信号線Ｓ１０１から信号線Ｓ１０７までの間で、第１方向Ｘに沿って、この順番で周期的に繰り返し配置されている。  
変形例１によれば、表示装置ＤＳＰは、角領域ＣＡにスペーサＰＳを備えている。そのため、変形例１の表示装置ＤＳＰは、第１実施形態の表示装置ＤＳＰよりも第１基板ＳＵＢ１及び第２基板ＳＵＢ２の間で生じる斜め方向への位置ずれ等に対する耐性が改善される。
【００６３】
図１５は、変形例２に係る表示パネルＰＮＬの構成例を示す平面図である。図１５は、表示パネルＰＮＬにおけるスペーサＰＳの配置例を示している。  
変形例２に係る表示装置ＤＳＰは、図４に示した表示装置ＤＳＰと比べて第１領域ＡＲ１と第２領域ＡＲ２と異なる密度でスペーサが配置された領域を備えている点が相違する。  
図示した例では、表示パネルＰＮＬは、第１領域ＡＲ１と第２領域ＡＲ２との間に位置する第３領域ＡＲ３に第１領域ＡＲ１よりも高密度、且つ第２領域ＡＲ２よりも低密度でスペーサＰＳが配置されている。例えば、第３領域ＡＲ３には、図５に示したスペーサＰＳが配置されている。
【００６４】
図１６は、変形例２に係る表示パネルＰＮＬの第３領域ＡＲ３の構成例を示す平面図である。図１６は、表示パネルＰＮＬの第３領域ＡＲ３における図５に示したスペーサＰＳの配置の一例を示している。図１６では、表示パネルＰＮＬの第３領域ＡＲ３の一部を図示し、説明に必要な構成のみを示している。
【００６５】
第３領域ＡＲ３において、複数のスペーサＰＳは、第１方向Ｘに間隔Ｄｘ４を置いて配置され、第２方向Ｙに間隔Ｄｙ４を置いて配置されている。間隔Ｄｘ４は、間隔Ｄｘ１より小さく、且つ間隔Ｄｘ２よりも大きい。また、間隔Ｄｙ４は、間隔Ｄｙ１よりも小さく、且つ間隔Ｄｙ２よりも大きい。例えば、間隔Ｄｘ４は、第１方向Ｘで約６副画素分の幅に相当するが、図示した例に限定されない。また、間隔Ｄｙ４は、第２方向Ｙで約２副画素分の幅に相当するが、図示した例に限定されない。そのため、スペーサＰＳは、第１領域ＡＲ１よりも高密度、且つ第２領域ＡＲ２よりも低密度に第３領域ＡＲ３に配置されている。
【００６６】
図示した例では、スペーサＳＰ６１は、信号線Ｓ６０と走査線Ｇ４９とが交差する部分に重畳している。スペーサＰＳ６２は、信号線Ｓ６６と走査線Ｇ４９とが交差する部分に重畳している。スペーサＰＳ６３は、信号線Ｓ６０と走査線Ｇ５１とが交差する部分に重畳している。スペーサＰＳ６４は、信号線Ｓ６６と走査線Ｇ５１とが交差する部分に重畳している。スペーサＰＳ６１とスペーサＰＳ６２とは、第１方向Ｘで間隔Ｄｘ４を置いて離間している。スペーサＰＳ６３とスペーサＰＳ６４とは、第１方向Ｘで間隔Ｄｘ４を置いて離間している。スペーサＰＳ６１とスペーサＰＳ６３とは、第２方向Ｙで間隔Ｄｙ４を置いて離間している。スペーサＰＳ６２とスペーサＰＳ６４とは、第２方向Ｙで間隔Ｄｙ４を置いて離間している。
【００６７】
なお、第３領域ＡＲ３において、複数のスペーサＰＳは、第１領域ＡＲ１での第１方向Ｘにおける間隔よりも短い間隔、且つ第２領域ＡＲ２での第２方向Ｙにおける間隔よりも長い間隔であれば、第１方向Ｘに沿って異なる間隔を置いて配置されもよい。例えば、スペーサＰＳ６１とスペーサＰＳ６２との第１方向Ｘの間隔は、スペーサＰＳ６３とスペーサＰＳ６４との第１方向Ｘの間隔と異なっていてもよい。また、第３領域ＡＲ３において、複数のスペーサＰＳは、第１領域ＡＲ１での第１方向Ｘにおける間隔よりも短い間隔、且つ第２領域ＡＲ２での第２方向Ｙにおける間隔よりも長い間隔であれば、第２方向Ｙに沿って異なる間隔を置いて配置されていてもよい。例えば、スペーサＰＳ６１とスペーサＰＳ６３との第２方向Ｙの間隔は、スペーサＰＳ６２とスペーサＰＳ６４との第２方向Ｙの間隔と異なっていてもよい。  
変形例２によれば、表示装置ＤＳＰは、第３領域ＡＲ３にスペーサＰＳを備えている。そのため、変形例２の表示装置ＤＳＰは、第１実施形態の表示装置ＤＳＰよりも第１基板ＳＵＢ１及び第２基板ＳＵＢ２の間で生じる位置ずれ等に対する耐性が改善される。
【００６８】
図１７は、第２実施形態に係る表示パネルＰＮＬの構成例を示す平面図である。図１７は、表示パネルＰＮＬにおけるスペーサＰＳの配置例を示している。  
第２実施形態に係る表示装置ＤＳＰは、図４に示した表示装置ＤＳＰと比べてスペーサＰＳの構成が異なる点が相違する。  
図示した例では、スペーサＰＳは、第１方向Ｘに延出し、第２方向Ｙの幅よりも第１方向Ｘの幅の方が長い。表示パネルＰＮＬは、第１領域ＡＲ１よりも第２領域ＡＲ２に高密度にスペーサＰＳが配置されている。
【００６９】
図１８は、第２実施形態に係るスペーサＰＳの構成例を示す平面図である。図１８は、図１７に示したスペーサＰＳを拡大した図である。図１８では、説明に必要な構成のみを示している。  
図示した例では、凸部ＣＰは、４つの端部ＣＰｅ３１、ＣＰｅ３２、ＣＰｅ３３、及びＣＰｅ３４を有している。また、凹部ＲＰは、４つの内壁ＩＷ３１、ＩＷ３２、ＩＷ３３、及びＩＷ３４を有している。凸部ＣＰの第１方向Ｘの２つの端部ＣＰｅ３２、ＣＰｅ３３は、それぞれ、凹部ＲＰの第１方向Ｘの２つの内壁ＩＷ３２、ＩＷ３３から間隔ＷＳ３を置いて離間している。また、凸部ＣＰの第２方向Ｙの２つの端部ＣＰｅ３１、ＣＰｅ３４は、それぞれ、凹部ＲＰの第２方向Ｙの２つの内壁ＩＷ３１、ＩＷ３４から間隔ＷＬ３を置いて離間している。一例として、間隔ＷＳ３は、５μｍである。また、例えば、間隔ＷＳ３は、間隔ＷＬ３よりも大きくてもよい。なお、第１方向Ｘにおいて、端部ＣＰｅ３２と内壁ＩＷ３２との間隔は、端部ｅ３３と内壁ＩＷ３３との間隔と異なっていてもよい。また、第２方向Ｙにおいて、端部ＣＰｅ３１と内壁ＩＷ３１との間隔は、端部ＣＰｅ３４と内壁ＩＷ３４との間隔と異なっていてもよい。
【００７０】
平面視した場合、スペーサＰＳは、信号線Ｓと走査線Ｇとの交差する部分に重畳し、第１方向Ｘに延出している。図示した例では、スペーサＰＳは、第１方向Ｘに延出する長方形状に形成されている。平面視した場合、凸部ＣＰ及凹部ＲＰは、それぞれ、走査線Ｇに沿って、第１方向Ｘに延出している。一例として、凹部ＲＰは、長辺が第１方向Ｘの幅Ｗ１１であり、短辺が第２方向Ｙの幅ＷＤ１である長方形状である。また、凸部ＣＰは、長辺が第１方向Ｘの幅Ｗ１２であり、短辺が第２方向Ｙの幅ＷＤ２である長方形状である。第１方向Ｘの幅Ｗ１１は、第１方向Ｘの幅Ｗ１２よりも大きく、第２方向Ｙの幅ＷＤ１は、第２方向Ｙの幅ＷＤ２よりも大きい。例えば、第１方向Ｘの幅Ｗ１１は、３つの信号線Ｓ（Ｓｎ、Ｓｎ＋１、Ｓｎ＋２）に亘る長さである。なお、第１方向Ｘの幅Ｗ１１は、３つの信号線Ｓに亘る長さよりも大きくてもよいし、小さくてもよい。
【００７１】
図１９は、図１８に示したＸＩＸ−ＸＩＸに沿って切断した表示装置ＤＳＰを構成するスペーサＰＳの構成例を示す断面図である。  
図示した例では、凸部ＣＰは、第２基板ＳＵＢ２に位置し、凹部ＲＰは、第１基板ＳＵＢ１に位置している。凸部ＣＰは、第１方向ＸにコンタクトホールＣＨｎからコンタクトホールＣＨｎ＋１に亘って延出している。凸部ＣＰの先端部ＴＰは、凹部ＲＰに嵌合している。凸部ＣＰの先端部ＴＰの一部は、底部ＢＴに接していてもよい。凹部ＲＰの底部ＢＴは、例えば、第５絶縁膜１５と画素電極ＰＥの一部で構成されている。凹部ＲＰは、第１方向ＸにコンタクトホールＣＨｎからコンタクトホールＣＨｎ＋１に亘って延出している。
【００７２】
図２０は、第２実施形態に係る表示パネルＰＮＬの第１領域ＡＲ１の構成例を示す平面図である。図２０は、表示パネルＰＮＬの第１領域ＡＲ１における図１８及び図１９に示したスペーサＰＳの配置の一例を示している。図２０では、表示パネルＰＮＬの第１領域ＡＲ１の一部を図示し、説明に必要な構成のみを示している。  
第１領域ＡＲ１において、複数のスペーサＰＳは、第１方向Ｘに間隔Ｄｘ５を置いて配置され、第２方向Ｙに間隔Ｄｙ５を置いて配置されている。間隔Ｄｘ５は、間隔Ｄｘ１とほぼ同等である。例えば、間隔Ｄｘ５は、間隔Ｄｘ１より僅かに小さく、間隔Ｄｘ２乃至Ｄｘ４の各々よりも大きい。また、間隔Ｄｙ５は、間隔Ｄｙ１とほぼ同等である。例えば、間隔Ｄｙ５は、間隔Ｄｙ１より僅かに小さく、間隔Ｄｙ２乃至Ｄｙ４の各々よりも大きい。
【００７３】
図示した例では、スペーサＳＰｘ１１は、信号線Ｓ４と走査線Ｇ５２とが交差する部分に重畳している。スペーサＰＳｘ１２は、信号線Ｓ１３と走査線Ｇ５２とが交差する部分に重畳している。スペーサＰＳｘ１３は、信号線Ｓ４と走査線Ｇ５５とが交差する部分に重畳している。スペーサＰＳｘ１４は、信号線Ｓ１３と走査線Ｇ５５とが交差する部分に重畳している。  
スペーサＰＳｘ１１とスペーサＰＳｘ１２とは、第１方向Ｘで間隔Ｄｘ５を置いて離間している。スペーサＰＳｘ１３とスペーサＰＳｘ１４とは、第１方向Ｘで間隔Ｄｘ５を置いて離間している。スペーサＰＳｘ１１とスペーサＰＳｘ１３とは、第２方向Ｙで間隔Ｄｙ５を置いて離間している。スペーサＰＳｘ１２とスペーサＰＳｘ１４とは、第２方向Ｙで間隔Ｄｙ５を置いて離間している。  
なお、第１領域ＡＲ１において、複数のスペーサＰＳは、第１方向Ｘに沿って異なる間隔を置いて配置され、第２方向Ｙに沿って異なる間隔を置いて配置されていてもよい。例えば、スペーサＰＳｘ１１とスペーサＰＳｘ１２との第１方向Ｘの間隔は、スペーサＰＳｘ１３とスペーサＰＳｘ１４との第１方向Ｘの間隔と異なっていてもよい。スペーサＰＳｘ１１とスペーサＰＳｘ１３との第２方向Ｙの間隔は、スペーサＰＳｘ１２とスペーサＰＳｘ１４との第２方向Ｙの間隔と異なっていてもよい。
【００７４】
図２１は、第２実施形態に係る表示パネルＰＮＬの第２領域ＡＲ２の構成例を示す平面図である。図２１は、表示パネルＰＮＬの第２領域ＡＲ２における図１８及び図１９に示したスペーサＰＳの配置の一例を示している。図２１は、表示パネルＰＮＬの第２領域ＡＲ２の一部を図示し、説明に必要な構成のみを示している。
【００７５】
第２領域ＡＲ２において、複数のスペーサＰＳは、第１方向Ｘに間隔Ｄｘ６を置いて配置され、第２方向Ｙに間隔Ｄｙ６を置いて配置されている。間隔Ｄｘ６は、間隔Ｄｘ５より小さく、間隔Ｄｙ６は、間隔Ｄｙ５より小さい。例えば、間隔Ｄｘ６は、第１方向Ｘで約２副画素分の幅に相当するが、図示した例に限定されない。また、間隔Ｄｙ６は、第２方向Ｙで約１副画素分の幅に相当するが、図示した例に限定されない。そのため、スペーサＰＳは、第１領域ＡＲ１よりも高密度に第２領域ＡＲ２に配置されている。
【００７６】
図示した例では、スペーサＰＳｘ１０１は、信号線Ｓ１０２と走査線Ｇ５１とが交差する部分に重畳している。スペーサＰＳｘ１０２は、信号線Ｓ１０６と走査線Ｇ５１とが交差する部分に重畳している。スペーサＰＳｘ１０３は、信号線Ｓ１０２と走査線Ｇ５２とが交差する部分に重畳している。スペーサＰＳｘ１０４は、信号線Ｓ１０６と走査線Ｇ５２とが交差する部分に重畳している。スペーサＰＳｘ１０５は、信号線Ｓ１０２と走査線Ｇ５３とが交差する部分に重畳している。スペーサＰＳｘ１０６は、信号線Ｓ１０６と走査線Ｇ５３とが交差する部分に重畳している。
【００７７】
スペーサＰＳｘ１０１とスペーサＰＳｘ１０２とは、第１方向Ｘで間隔Ｄｘ６を置いて離間している。スペーサＰｘ１０３とスペーサＰＳｘ１０４とは、第１方向Ｘで間隔Ｄｘ６を置いて離間している。スペーサＰｘ１０５とスペーサＰＳｘ１０６とは、第１方向で間隔Ｄｘ６を置いて離間している。スペーサＰＳｘ１０１とスペーサＰＳｘ１０３とは、第２方向Ｙで間隔Ｄｙ６を置いて離間している。スペーサＰＳｘ１０３とスペーサＰＳｘ１０５とは、第２方向Ｙで間隔Ｄｙ６を置いて離間している。スペーサＰＳｘ１０２とスペーサＰＳｘ１０４とは、第２方向Ｙで間隔Ｄｙ６を置いて離間している。スペーサＰＳｘ１０４とスペーサＰＳｘ１０６とは、第２方向Ｙで間隔Ｄｙ６を置いて離間している。
【００７８】
なお、第２領域ＡＲ２において、複数のスペーサＰＳは、第１領域ＡＲ１での第１方向Ｘにおける間隔よりも短い間隔であれば、第１方向Ｘに沿って異なる間隔を置いて配置されていてもよい。例えば、スペーサＰＳｘ１０１とスペーサＰＳｘ１０２との第１方向Ｘの間隔は、スペーサＰＳｘ１０３とスペーサＰＳｘ１０４との第１方向Ｘの間隔と異なっていてもよい。また、第２領域ＡＲ２において、複数のスペーサＰＳは、第１領域ＡＲ１での第２方向Ｙにおける間隔よりも短い間隔であれば、第２方向Ｙに沿って異なる間隔を置いて配置されていてもよい。例えば、スペーサＰＳｘ１０１とスペーサＰＳｘ１０３との第２方向Ｙの間隔は、スペーサＰＳｘ１０３とスペーサＰＳｘ１０４との第２方向Ｙの間隔と異なっていてもよい。
【００７９】
図２２は、第２実施形態に係る遮光層ＢＭ及びカラーフィルタＣＦの構成例を示す平面図である。図２２は、図２０に示した第１領域ＡＲ１と図２１に示した第２領域ＡＲ２とにおける遮光層ＢＭ及びカラーフィルタＣＦの配置の一例を示している。図２２では、左側に第１領域ＡＲ１の構成例の一部を示し、右側に第２領域ＡＲ２の構成例の一部を示している。  
図示した例では、スペーサＰＳの第２方向Ｙの幅は、周囲の横遮光層ＢＭＸの第２方向Ｙの幅ＢＭｙよりも小さい。そのため、第１領域ＡＲ１及び第２領域ＡＲ２において、遮光層ＢＭは、拡張部ＥＰを備えていない。  
図示した例では、第１領域ＡＲ１及び第２領域ＡＲ２において、遮光層ＢＭは、スペーサＰｘ１１、スペーサＰｘ１０１乃至ＰＳｘ１０６に重畳している。第１領域ＡＲ１において、カラーフィルタＣＦ１乃至ＣＦ３は、信号線Ｓ１から信号線Ｓ７までの間で、第１方向Ｘに沿って、この順番に周期的に繰り返し配置されている。第２領域ＡＲ２において、カラーフィルタＣＦ１乃至ＣＦ３は、信号線Ｓ１０１から信号線Ｓ１０７までの値で、第１方向Ｘに沿って、この順番に周期的に繰り返し配置されている。  
第２実施形態によれば、前述の実施形態と同様の効果を得られる。加えて、遮光層ＢＭが拡張部ＥＰを備えていないため、表示装置ＤＳＰは、第１実施形態の表示装置ＤＳＰと比べて、開口率が向上する。
【００８０】
図２３は、変形例３に係る表示パネルＰＮＬの第１領域ＡＲ１及び第２領域ＡＲ２の構成例を示す平面図である。図２３は、表示パネルＰＮＬの第１領域ＡＲ１におけるスペーサＰＳの配置例と第２領域ＡＲ２におけるスペーサＰＳの配置例とを示している。図２３では、左側に第１領域ＡＲ１の構成例の一部を示し、右側に第２領域ＡＲ２の構成例の一部を示している。なお、図２３において、第２領域ＡＲ２のスペーサＰＳの配置は、図２１で示した第２領域ＡＲ２のスペーサＰＳの配置と同等であるので、詳細な説明を省略する。  
変形例３に係る表示装置ＤＳＰは、図２０及び図２１に示した表示装置ＤＳＰと比べて、第１領域ＡＲ１に配置されたスペーサＰＳの第１方向Ｘの幅と第２領域ＡＲ２に配置されたスペーサＰＳの第１方向Ｘの幅とが異なる点が相違する。
【００８１】
第１領域ＡＲ１及び第２領域ＡＲ２において、スペーサＰＳは、第２方向Ｙの幅よりも第１方向Ｘの幅が長い長方形状である。第１領域ＡＲ１に配置されたスペーサＰＳの第１方向Ｘの幅は、第２領域ＡＲ２に配置されたスペーサＰＳの第１方向Ｘの幅よりも小さい。図示した例では、第１領域ＡＲ１に配置されたスペーサＰＳの第１方向Ｘの幅Ｗ２１は、第２領域ＡＲ２に配置されたスペーサＰＳの第１方向Ｘの幅Ｗ１１よりも小さい。そのため、第１領域ＡＲ１と第２領域ＡＲ２とでスペーサＰＳを同様に配置したとしても、第１領域ＡＲ１の第１方向Ｘで隣接する２つのスペーサＰＳの間隔は、第２領域ＡＲ２の第１方向Ｘで隣接する２つのスペーサＰＳの間隔よりも大きくなる。なお、第１領域ＡＲ１と第２領域ＡＲとにそれぞれ配置されたスペーサＰＳの密度が異なっていれば、第１領域ＡＲ１と第２領域ＡＲ２とでスペーサＰＳの配置が異なっていてもよい。
【００８２】
図示した例では、スペーサＰＳｙ１１は、信号線Ｓ２と走査線Ｇ５１とが交差する部分に重畳している。スペーサＰＳｙ１２は、信号線Ｓ５と走査線Ｇ５１とが交差する部分に重畳している。スペーサＰＳｙ１３は、信号線Ｓ２と走査線Ｇ５２とが交差する部分に重畳している。スペーサＰＳｙ１４は、信号線Ｓ５と走査線Ｇ５２とが交差する部分に重畳している。スペーサＰＳｙ１５は、信号線Ｓ２と走査線Ｇ５３とが交差する部分に重畳している。スペーサＰＳｙ１６は、信号線Ｓ５と走査線Ｇ５３とが交差する部分に重畳している。
【００８３】
スペーサＰＳｙ１１とスペーサＰＳｙ１２とは、第１方向Ｘにおいて、間隔Ｄｘ７で離間している。スペーサＰｙ１３とスペーサＰＳｙ１４とは、第１方向Ｘにおいて、間隔Ｄｘ７で離間している。スペーサＰＳｙ１５とスペーサＰＳｙ１６とは、第１方向において、間隔Ｄｘ７で離間している。間隔Ｄｘ７は、間隔Ｄｘ６よりも大きい。また、スペーサＰＳｙ１１とスペーサＰＳｙ１３とは、第２方向Ｙにおいて、間隔Ｄｙ６で離間している。スペーサＰＳｙ１３とスペーサＰＳｙ１５とは、第２方向Ｙにおいて、間隔Ｄｙ６で離間している。スペーサＰＳｙ１２とスペーサＰＳｙ１４とは、第２方向Ｙにおいて、間隔Ｄｙ６で離間している。スペーサＰＳｙ１４とスペーサＰＳｙ１６とは、第２方向Ｙにおいて、間隔Ｄｙ６で離間している。
【００８４】
変形例３によれば、第１領域ＡＲ１に配置されたスペーサＰＳの第１方向Ｘの幅は、第２領域ＡＲ２に配置されたスペーサＰＳの第１方向Ｘの幅より小さい。そのため、第１領域ＡＲ１と第２領域ＡＲ２とで同様に配置したとしても、第１領域ＡＲ１の第１方向Ｘで隣接する２つのスペーサＰＳの間隔は、第２領域ＡＲ２の第１方向Ｘで隣接する２つのスペーサＰＳの間隔よりも大きくなる。つまり、スペーサＰＳは、第１領域ＡＲ１よりも高密度に第２領域ＡＲ２に配置されている。したがって、変形例３に係る表示装置ＤＳＰは、前述の実施形態と同様の効果を得られる。
【００８５】
なお、変形例３では、第１領域ＡＲ１に配置されたスペーサＰＳの第１方向Ｘの幅と第２領域ＡＲ２に配置されたスペーサＰＳの第１方向Ｘの幅とが異なるとしたが、第１領域ＡＲ１に配置されたスペーサＰＳの第２方向Ｘの幅と第２領域ＡＲ２に配置されたスペーサＰＳの第２方向Ｘの幅とが異なっていてもよい。このとき、例えば、第１領域ＡＲ１及び第２領域ＡＲ２において、スペーサＰＳは、第１方向Ｘの幅よりも第２方向Ｙの幅が長い長方形状である。
【００８６】
図２４は、変形例４に係る表示パネルＰＮＬの第１領域ＡＲ１及び第２領域ＡＲ２の構成例を示す平面図である。図２４は、表示パネルＰＮＬの第１領域ＡＲ１におけるスペーサＰＳの配置例と第２領域ＡＲ２におけるスペーサＰＳの配置例とを示している。図２４では、左側に第１領域ＡＲ１の構成例の一部を示し、右側に第２領域ＡＲ２の構成例の一部を示している。なお、図２４において、第２領域ＡＲ２のスペーサＰＳの配置は、図２３で示した第２領域ＡＲ２のスペーサＰＳの配置と同等であるので、詳細な説明を省略する。  
変形例４に係る表示装置ＤＳＰは、図２３に示した表示装置ＤＳＰと比べて、第１領域ＡＲ１において、第１方向Ｘの幅の異なる複数のスペーサが配置されている点が相違する。
【００８７】
図示した例では、第１領域ＡＲ１において、幅Ｗ１１のスペーサＰＳと幅Ｗ２１のスペーサＰＳとが、走査線Ｇに沿って、第１方向Ｘに交互に配置されている。そのため、第１領域ＡＲ１と第２領域ＡＲ２とでスペーサＰＳを同様に配置したとしても、第１領域ＡＲ１の第１方向Ｘで隣接する２つのスペーサＰＳの間隔は、第２領域ＡＲ２の第１方向Ｘで隣接する２つのスペーサＰＳの間隔よりも大きくなる。なお、第１領域ＡＲ１と第２領域ＡＲとで配置されたスペーサＰＳの密度が異なっていれば、第１領域ＡＲ１と第２領域ＡＲ２とでスペーサＰＳの配置が異なっていてもよい。
【００８８】
図示した例では、第１領域ＡＲ１において、スペーサＰＳｙ１１は、信号線Ｓ２と走査線Ｇ５１とが交差する部分に重畳している。スペーサＰＳｘ１２は、信号線Ｓ５と走査線Ｇ５１とが交差する部分に重畳している。スペーサＰＳｘ１３は、信号線Ｓ２と走査線Ｇ５２とが交差する部分に重畳している。スペーサＰＳｙ１４は、信号線Ｓ５と走査線Ｇ５２とが交差する部分に重畳している。スペーサＰＳｙ１５は、信号線Ｓ２と走査線Ｇ５３とが交差する部分に重畳している。スペーサＰＳｘ１６は、信号線Ｓ５と走査線Ｇ５３とが交差する部分に重畳している。
【００８９】
スペーサＰＳｙ１１とスペーサＰＳｘ１２とは、第１方向Ｘにおいて、間隔Ｄｘ８で離間している。スペーサＰｘ１３とスペーサＰＳｙ１４とは、第１方向Ｘにおいて、間隔Ｄｘ８で離間している。スペーサＰＳｙ１５とスペーサＰＳｘ１６とは、第１方向において、間隔Ｄｘ８で離間している。間隔Ｄｘ８は、間隔Ｄｘ６よりも大きい。また、スペーサＰＳｙ１１とスペーサＰＳｘ１３とは、第２方向Ｙにおいて、間隔Ｄｙ６で離間している。スペーサＰＳｘ１３とスペーサＰＳｙ１５とは、第２方向Ｙにおいて、間隔Ｄｙ６で離間している。スペーサＰＳｘ１２とスペーサＰＳｙ１４とは、第２方向Ｙにおいて、間隔Ｄｙ６で離間している。スペーサＰＳｙ１４とスペーサＰＳｘ１６とは、第２方向Ｙにおいて、間隔Ｄｙ６で離間している。  
変形例４によれば、前述の実施形態と同様の効果が得られる。
【００９０】
図２５は、変形例５に係る表示パネルＰＮＬの第１領域ＡＲ１及び第２領域ＡＲ２の構成例を示す平面図である。図２５は、表示パネルＰＮＬの第１領域ＡＲ１におけるスペーサＰＳの配置例と第２領域ＡＲ２におけるスペーサＰＳの配置例とを示している。図２５では、左側に第１領域ＡＲ１の構成例の一部を示し、右側に第２領域ＡＲ２の構成例の一部を示している。なお、図２５において、第１領域ＡＲ１のスペーサＰＳの配置は、図２３で示した第１領域ＡＲ１のスペーサＰＳの配置と同等であるので、詳細な説明を省略する。  
変形例５に係る表示装置ＤＳＰは、図２３に示した表示装置ＤＳＰと比べて、第２領域ＡＲ２において、第１方向Ｘの幅の異なる複数のスペーサが配置されている点が相違する。
【００９１】
図示した例では、第２領域ＡＲ２において、幅Ｗ１１のスペーサＰＳと幅Ｗ２１のスペーサＰＳとが、走査線Ｇに沿って、第１方向Ｘに交互に配置されている。そのため、第１領域ＡＲ１と第２領域ＡＲ２とでスペーサＰＳを同様に配置したとしても、第２領域ＡＲ２の第１方向Ｘで隣接する２つのスペーサＰＳの間隔は、第１領域ＡＲ１の第１方向Ｘで隣接する２つのスペーサＰＳの間隔よりも小さくなる。なお、第１領域ＡＲ１と第２領域ＡＲとで配置されたスペーサＰＳの密度が異なっていれば、第１領域ＡＲ１と第２領域ＡＲ２とでスペーサＰＳの配置が異なっていてもよい。
【００９２】
図示した例では、第２領域ＡＲ２において、スペーサＰＳｙ１０１は、信号線Ｓ１０２と走査線Ｇ５１とが交差する部分に重畳している。スペーサＰＳｘ１０２は、信号線Ｓ１０５と走査線Ｇ５１とが交差する部分に重畳している。スペーサＰＳｘ１０３は、信号線Ｓ１０２と走査線Ｇ５２とが交差する部分に重畳している。スペーサＰＳｙ１０４は、信号線Ｓ１０５と走査線Ｇ５２とが交差する部分に重畳している。スペーサＰＳｙ１０５は、信号線Ｓ１０２と走査線Ｇ５３とが交差する部分に重畳している。スペーサＰＳｘ１０６は、信号線Ｓ１０５と走査線Ｇ５３とが交差する部分に重畳している。
【００９３】
スペーサＰＳｙ１０１とスペーサＰＳｘ１０２とは、第１方向Ｘにおいて、間隔Ｄｘ８で離間している。スペーサＰｘ１０３とスペーサＰＳｙ１０４とは、第１方向Ｘにおいて、間隔Ｄｘ８で離間している。スペーサＰＳｙ１０５とスペーサＰＳｘ１０６とは、第１方向において、間隔Ｄｘ８で離間している。間隔Ｄｘ８は、間隔Ｄｘ７よりも小さい。また、スペーサＰＳｙ１０１とスペーサＰＳｘ１０３とは、第２方向Ｙにおいて、間隔Ｄｙ６で離間している。スペーサＰＳｘ１０３とスペーサＰＳｙ１０５とは、第２方向Ｙにおいて、間隔Ｄｙ６で離間している。スペーサＰＳｘ１０２とスペーサＰＳｙ１０４とは、第２方向Ｙにおいて、間隔Ｄｙ６で離間している。スペーサＰＳｙ１０４とスペーサＰＳｘ１０６とは、第２方向Ｙにおいて、間隔Ｄｙ６で離間している。  
変形例５によれば、前述の実施形態と同様の効果が得られる。
【００９４】
図２６は、変形例６に係る表示パネルＰＮＬの第２領域ＡＲ２及び第３領域ＡＲ３の構成例を示す平面図である。図２６は、表示パネルＰＮＬの第２領域ＡＲ２におけるスペーサＰＳの配置例と第３領域ＡＲ３におけるスペーサＰＳの配置例とを示している。図２６では、左側に第３領域ＡＲ３の構成例の一部を示し、右側に第２領域ＡＲ２の構成例の一部を示している。なお、図２６において、第２領域ＡＲ２のスペーサＰＳの配置は、図２３で示した第２領域ＡＲ２のスペーサＰＳの配置と同等であるので、詳細な説明を省略する。また、図示していないが、図２６において、第１領域ＡＲ１のスペーサＰＳの配置は、図２３で示した第１領域ＡＲ１のスペーサＰＳの配置と同等であるものとする。  
変形例６に係る表示装置ＤＳＰは、図２３に示した表示装置ＤＳＰと比べて、第３領域ＡＲ３に配置されたスペーサＰＳの第１方向Ｘの幅が第１領域ＡＲ１に配置されたスペーサＰＳの第１方向Ｘの幅と第２領域ＡＲ２に配置されたスペーサＰＳの第１方向Ｘの幅と異なる点が相違する。
【００９５】
第３領域ＡＲ３において、スペーサＰＳは、第２方向Ｙの幅よりも第１方向Ｘの幅が長い長方形状である。第３領域ＡＲ３に配置されたスペーサＰＳの第１方向Ｘの幅は、第２領域ＡＲ２に配置されたスペーサＰＳの第１方向Ｘの幅よりも小さく、第１領域ＡＲ１に配置されたスペーサＰＳの第１方向Ｘの幅よりも大きい。図示した例では、第３領域ＡＲ３に配置されたスペーサＰＳの第１方向Ｘの幅Ｗ３１は、幅Ｗ１１よりも小さい。また、幅Ｗ３１は、幅Ｗ２１よりも大きい。そのため、第１領域ＡＲ１、第２領域ＡＲ２、及び第３領域ＡＲ３でスペーサＰＳを同様に配置したとしても、第３領域ＡＲ３の第１方向Ｘで隣接する２つのスペーサＰＳの間隔は、第２領域ＡＲ２の第１方向Ｘで隣接する２つのスペーサＰＳの間隔よりも大きく、第１領域ＡＲ１の第１方向Ｘで隣接する２つのスペーサＰＳの間隔よりも小さくなる。なお、第３領域ＡＲ３に配置されたスペーサの密度が第２領域ＡＲ２に配置されたスペーサの密度よりも小さく、第１領域ＡＲ１に配置されたスペーサの密度よりも大きければ、第１領域ＡＲ１、第２領域ＡＲ２、及び第３領域ＡＲ３で、スペーサＰＳの配置がそれぞれ異なっていてもよい。
【００９６】
図示した例では、スペーサＰＳｙ６１は、信号線Ｓ６１と走査線Ｇ５１とが交差する部分に重畳している。スペーサＰＳｙ６２は、信号線Ｓ６４と走査線Ｇ５１とが交差する部分に重畳している。スペーサＰＳｙ６３は、信号線Ｓ６１と走査線Ｇ５２とが交差する部分に重畳している。スペーサＰＳｙ６４は、信号線Ｓ６４と走査線Ｇ５２とが交差する部分に重畳している。スペーサＰＳｙ６５は、信号線Ｓ６１と走査線Ｇ５３とが交差する部分に重畳している。スペーサＰＳｙ６６は、信号線Ｓ６４と走査線Ｇ５３とが交差する部分に重畳している。
【００９７】
スペーサＰＳｙ６１とスペーサＰＳｙ６２とは、第１方向Ｘにおいて、間隔Ｄｘ９で離間している。スペーサＰｙ６３とスペーサＰＳｙ６４とは、第１方向Ｘにおいて、間隔Ｄｘ９で離間している。スペーサＰＳｙ６５とスペーサＰＳｙ６６とは、第１方向において、間隔Ｄｘ９で離間している。間隔Ｄｘ９は、間隔Ｄｘ６よりも大きく、間隔Ｄｘ７よりも小さい。また、スペーサＰＳｙ６１とスペーサＰＳｙ６３とは、第２方向Ｙにおいて、間隔Ｄｙ６で離間している。スペーサＰＳｙ６３とスペーサＰＳｙ６５とは、第２方向Ｙにおいて、間隔Ｄｙ６で離間している。スペーサＰＳｙ６２とスペーサＰＳｙ６４とは、第２方向Ｙにおいて、間隔Ｄｙ６で離間している。スペーサＰＳｙ６４とスペーサＰＳｙ６６とは、第２方向Ｙにおいて、間隔Ｄｙ６で離間している。  
変形例６によれば、前述の実施形態と同様の効果が得られる。
【００９８】
図２７は、変形例７に係る表示パネルＰＮＬの構成例を示す平面図である。図２７は、表示パネルＰＮＬにおけるスペーサＰＳの配置例を示している。  
変形例７に係る表示装置ＤＳＰは、前述の表示装置ＤＳＰと比べてスペーサＰＳの配置が異なる点が相違する。  
図示した例では、第１領域ＡＲ１において、スペーサＰＳは、四角形状である。例えば、図１２に示したスペーサＰＳが、第１領域ＡＲ１に配置されている。第２領域ＡＲ２は、右領域ＲＡＲ２と、左領域ＬＡＲ２と、第４領域ＡＲ４と、第５領域ＡＲ５と、角領域ＣＲとを有している。右領域ＲＡＲ２及び左領域ＬＡＲ２において、スペーサＰＳは、第１方向Ｘに延出している。例えば、図１８に示したスペーサＰＳが、右領域ＲＡＲ２及び左領域ＬＡＲ２に配置されている。また、第４領域ＡＲ４及び第５領域ＡＲ５において、スペーサＰＳは、第２方向Ｙに延出している。例えば、図５に示したスペーサＰＳが、第４領域ＡＲ４及び第５領域ＡＲ５に配置されている。  
変形例７によれば、前述の実施形態と同様の効果が得られる。
【００９９】
図２８は、変形例８に係る表示パネルＰＮＬの構成例を示す平面図である。図２８は、表示パネルＰＮＬにおけるスペーサＰＳの配置例を示している。変形例８に係る表示装置ＤＳＰは、図２８の表示装置ＤＳＰと比べてスペーサＰＳの配置が異なる点が相違する。  
図示した例では、右領域ＲＡＲ２及び左領域ＬＡＲ２において、スペーサＰＳは、第２方向Ｙに延出している。例えば、図５に示したスペーサＰＳが右領域ＲＡＲ２及び左領域ＬＡＲ２に配置されている。また、第４領域ＡＲ４及び第５領域ＡＲ５において、スペーサＰＳは、第１方向Ｘに延出している。例えば、図１８に示したスペーサＰＳが第４領域ＡＲ４及び第５領域ＡＲ５に配置されている。  
変形例８によれば、前述の実施形態と同様の効果が得られる。
【０１００】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１０１】
ＤＳＰ…表示装置  ＰＮＬ…表示パネル  ＳＵＢ１…第１基板  ＳＵＢ２…第２基板
ＢＬ…照明装置  ＤＡ…表示領域  ＮＤＡ…非表示領域
Ｇ…走査線  Ｓ…信号線  ＳＷ…スイッチング素子  ＰＥ…画素電極
ＣＥ…共通電極  ＢＭ…遮光層  ＣＦ…カラーフィルタ  ＰＳ…スペーサ。
【図１】
2019028139.tif 000003
【図２】
2019028139.tif 000004
【図３】
2019028139.tif 000005
【図４】
2019028139.tif 000006
【図５】
2019028139.tif 000007
【図６】
2019028139.tif 000008
【図７】
2019028139.tif 000009
【図８】
2019028139.tif 000010
【図９】
2019028139.tif 000011
【図１０】
2019028139.tif 000012
【図１１】
2019028139.tif 000013
【図１２】
2019028139.tif 000014
【図１３】
2019028139.tif 000015
【図１４】
2019028139.tif 000016
【図１５】
2019028139.tif 000017
【図１６】
2019028139.tif 000018
【図１７】
2019028139.tif 000019
【図１８】
2019028139.tif 000020
【図１９】
2019028139.tif 000021
【図２０】
2019028139.tif 000022
【図２１】
2019028139.tif 000023
【図２２】
2019028139.tif 000024
【図２３】
2019028139.tif 000025
【図２４】
2019028139.tif 000026
【図２５】
2019028139.tif 000027
【図２６】
2019028139.tif 000028
【図２７】
2019028139.tif 000029
【図２８】
2019028139.tif 000030